(57)【要約】      （修正有）【課題】携帯用工具袋の作業用ベルトへの装着を容易にすると共に、装着時に両者の一体化を図る携帯用工具袋を提供する。【解決手段】表面側に適宜な収納部を形成した工具袋本体１の背面に、ベルト装着用杆体２を配置すると共に、ベルト装着用杆体２と工具袋本体１の上縁に着脱連結部２１，３を設け、工具袋本体１の背面下方にベルト装着用杆体２の保持ポケット１３を設けて、ベルト装着用杆体２を工具袋本体１の上縁と連結すると共に、ベルト装着用杆体の下方部分を保持ポケット１３内に収納し、ベルト装着用杆体と携帯用工具袋背面間で作業ベルトを挟持する。【選択図】図３
0003214273.tif 000002
【実用新案登録請求の範囲】
【請求項１】
表面側に適宜な収納部を形成した工具袋本体の背面に、ベルト装着用杆体を配置すると共に、ベルト装着用杆体と工具袋本体上縁に着脱連結部を設け、工具袋本体背面下方にベルト装着用杆体の保持ポケットを設けてなる携帯用工具袋。
【請求項２】
連結着脱部が、ベルト装着用杆体の頂部に設けた螺孔と、工具袋本体上縁に設けた装着孔と、連結ネジ体で構成してなる請求項１記載の携帯用工具袋。
【請求項３】
請求項１記載の携帯用工具袋を、作業用ベルトに装着する装着構造であって、ベルト装着用杆体を工具袋本体の上縁と連結すると共に、ベルト装着用杆体の下方部分を保持ポケット内に収納し、ベルト装着用杆体と工具袋本体の背面間で作業ベルトを挟持してなる携帯用工具袋のベルト装着構造。
【請求項４】
請求項１記載の携帯用工具袋を作業用ベルトに装着する装着構造であって、作業ベルトがベルト装着用杆体を挿通する差入筒状部を適宜間隔で備え、ベルト装着用杆体を前記差込筒状部に挿通し、ベルト装着用杆体を工具袋本体の上縁と連結すると共に、ベルト装着用杆体の下方部分を保持ポケット内に収納してなる携帯用工具袋のベルト装着構造。
【請求項５】
作業ベルトを、ベルト本体とベルト本体を包持して装着する補助ベルトで構成し、補助ベルトが、ベルトを包持する適宜長さの装着帯の背面に、筒状部形成帯を逢着して差込筒状部を設けると共に、前記筒状形成帯の外面にクッション機能を備えたパット部を設けてなる請求項４記載の携帯用工具袋のベルト装着構造。
【考案の詳細な説明】
【技術分野】
【０００１】
本考案は、携帯用工具袋及び携帯用工具袋のベルト装着構造に関するものである。
【背景技術】
【０００２】
作業者は、作業に使用する工具や作業部材を携帯するために、作業ベルトに吊下げた携帯用工具袋（工具ホルダー、工具入れ等とも称されている）を使用している。作業ベルトへの吊下げ構造は、一般的に携帯用工具袋の上方部分筒状のベルト通し部を設けている（特許文献１）。
【０００３】
また特許文献２には、前記のベルト通し部は、ベルトの大小に形状変化に対応できない固定式であり、作業ベルトへの装着安定性を高めるために、ベルト通し部の開口を調整可能な携帯用工具袋が開示されている。
【０００４】
また特許文献３には、携帯用工具袋自体にベルト通し部を直接形成せずに、携帯用工具袋本体とベルト通し部を別体に形成し、両者間を着脱可能とした携帯用工具袋が開示されている。
【先行技術文献】
【特許文献】
【０００５】
【特許文献１】登録実用新案３１５７４２９号公報。
【特許文献２】登録実用新案３１０６３２３号公報。
【特許文献３】特開２００１−３１５０７６号公報。
【考案の概要】
【考案が解決しようとする課題】
【０００６】
使用する携帯用工具袋は、作業内容によって変更する必要があり、変更に際しては作業ベルトをベルト通し部刃から引き抜く必要があり煩瑣である。また特許文献２に記載されている携帯用工具袋は、ベルト通し部と携帯用工具袋本体が一体となってベルトに装着されるので、装着安定性を備えるが、携帯用工具袋の変更（作業ベルトとの着脱）作業が煩瑣である。
【０００７】
また特許文献３に開示されているとおり、ベルト通し部を携帯用工具袋本体と別体に形成することで、作業ベルトからの着脱が容易であるが、携帯用工具袋本体の上縁でしか連結されていないので、携帯用工具袋の下方が腰部から離れ安定性に欠ける。
【０００８】
そこで本考案は、装着安定性に優れ、且つ作業ベルトへの着脱操作を容易にした新規な携帯用工具袋及び当該携帯用工具袋に適する作業用ベルトとの組み合わせ構造を提案したものである。
【課題を解決するための手段】
【０００９】
本考案の請求項１記載に係る携帯用工具袋は、表面側に適宜な収納部を形成した工具袋本体の背面に、ベルト装着用杆体を配置すると共に、ベルト装着用杆体と工具袋本体上縁に着脱連結部を設け、工具袋本体の背面下方にベルト装着用杆体の保持ポケットを設けてなるものである。
【００１０】
また本考案の請求項３記載に係る携帯用工具袋の装着構造は、前記の携帯用工具袋を作業用ベルトに装着する構造であって、ベルト装着用杆体を工具袋本体の上縁と連結すると共に、ベルト装着用杆体の下方部分を保持ポケット内に収納し、ベルト装着用杆体と携帯用工具袋背面間で作業ベルトを挟持してなるものである。
【００１１】
而して携帯用工具袋は、ベルト装着用杆体と工具袋本体の背面上方部分とでベルト通し部が形成されることになって、作業用ベルトに装着されるものであり、作業者が作業ベルトを身体に装着した状態でも、ベルト装着用杆体と工具袋本体上縁を着脱連結部で分離させると作業ベルトと工具袋本体の着脱が可能となるものである。更に工具袋本体の背面においてはベルト装着用杆体の下方部分が作業ベルトから突出して保持ポケットに納まっているものであるから、工具袋本体と作業ベルトとが一体となり、携帯時に工具袋が腰部から離れることがない。
【００１２】
また本考案の請求項４に係る携帯用工具袋の装着構造は、特に作業ベルトがベルト装着用杆体を挿通する差入筒状部を適宜間隔で備え、ベルト装着用杆体を前記差込筒状部に挿通し、ベルト装着用杆体を携帯用工具袋の上縁と連結すると共に、ベルト装着用杆体の下方部分を保持ポケット内に収納してなるもので、工具袋本体の作業ベルトへの着脱は、ベルト装着用杆体と工具袋本体上縁の連結分離で行うことができると共に、ベルト装着用杆体が差込筒状部に挿通しているものであるから、工具袋の装着位置がずれることが無い。
【考案の効果】
【００１３】
本考案の構成は上記のとおり作業ベルトへの装着を工具袋本体とその背面に設けるベルト装着用杆体とで行うようにしたもので、作業ベルトへの着脱が容易であり、且つ装着時の作業ベルトとの一体性が高められるものである。
【図面の簡単な説明】
【００１４】
【図１】本考案の実施形態（携帯用工具袋）の説明図。
【図２】同（装着構造）の説明図（正面）。
【図３】同図（背面）。
【図４】同作業ベルトの説明図。
【考案を実施するための形態】
【００１５】
次に本考案の実施形態について説明する。実施形態に示した携帯用工具袋Ａは、工具袋本体１と、ベルト装着用杆体２と、着脱連結部を担う連結ネジ体３で構成され、前記携帯用工具袋Ａを装着する作業用ベルトＢは、ベルト本体４と補助ベルト５で構成される。
【００１６】
工具袋本体１は、表面側に適宜な収納部１１（袋状でもまた工具差形状でも任意に定められる）を形成し、上縁の両側に装着孔（着脱連結部）１２を設け、背面下方にベルト装着用杆体２の下方部分が収納される保持ポケット１３を設けてなる。
【００１７】
ベルト装着用杆体２は、棒状もしくは板状で、工具袋本体１の縦長と対応する長さで、頂部に螺孔（着脱連結部）２１を設けてなる。
【００１８】
連結ネジ体３は、前記装着孔１２を挿通して螺孔２１に螺合し、工具袋本体１とベルト装着用杆体２とを上方箇所で連結するものである。
【００１９】
作業用ベルトＢのベルト本体４は、通常のバックル４１を備えたものである。補助ベルト５は、携帯用工具袋Ａを作業用ベルトＢに装着するためのもので、この補助ベルト５は、装着帯５１と筒状部形成帯５２とパット部５３を積層して逢着して形成したものである。
【００２０】
前記の装着帯５１は、ベルト本体４を包持する適宜幅を備え、上下縁に包持のための止着部（連結ボタン）５１１を設けてなり、筒状部形成帯５２は装着帯５１の背面に、適宜間隔で縫合して差込筒状部５２１を設けるものである。またパット部５３は、前記筒状部形成帯５２の外面で身体装着時に身体側に面するもので、クッション機能を備えてなる。
【００２１】
而してベルト本体４に補助ベルト５を包持させて、ベルト装着用杆体２を差込筒状部５２１に挿通すると共に、ベルト装着用杆体２の下方部分を、当該挿通位置と対応するベルト外方に位置させた工具袋本体１の保持ポケット１３に納め、連結ネジ体３を装着孔１２に通して螺孔２１に螺合しても、工具袋本体１の上縁部分とベルト装着用杆体２の頂部とを連結して、作業用ベルトＢに携帯用工具袋Ａが装着されるものである。
【００２２】
従って作業用ベルトＢを作業者の身体（腰部）に装着すると、携帯用工具袋Ａと作業用ベルトＢが一体となり、作業時に携帯用工具袋Ａがぶれることが無く、携帯用工具袋が作業の邪魔にならない。また携帯用工具袋Ａは、連結ネジ体３による連結構造部の着脱によって、容易に作業用ベルトＢへの携帯用工具袋Ａの着脱を行うことができるものである。
【００２３】
尚前記実施形態では、工具袋本体１とベルト装着用杆体２との連結構造部に、装着孔１２と螺孔２１と連結ネジ体３の組み合わせを採用しているが、工具袋本体１とベルト装着用杆体２とが所定箇所で着脱可能であれば任意の構造を採用できるものである。
【符号の説明】
【００２４】
Ａ      携帯用工具袋
Ｂ      作業用ベルト
１      工具袋本体
１１    収納部
１２    装着孔（着脱連結部）
１３    保持ポケット
２      ベルト装着用杆体
２１    螺孔（着脱連結部）
３      連結ネジ体（着脱連結部）
４      ベルト本体
４１    バックル
５      補助ベルト
５１    装着帯
５１１    止着部
５２    筒状部形成帯
５２１    差込筒状部
５３    パット部
【図１】
0003214273.tif 000003
【図２】
0003214273.tif 000004
【図３】
0003214273.tif 000005
【図４】
0003214273.tif 000006